(57)【特許請求の範囲】
【請求項１】
コンドームの皮膜により巻回形成された巻縁部の下側に係止する平坦なフランジを周縁に備えたコンドームの保護用固定円板において、該固定円板は前記コンドームの精子溜部の先端の外側に配置され、前記フランジは、当該フランジの面より外方に突出する円板の突出部分を囲繞することを特徴とするコンドームの保護用固定円板。
【請求項２】
前記フランジの面より外方に突出する円板の突出部分は、前記巻縁部の側方支持部をなすスカート部から成る、請求項１に記載のコンドームの保護用固定円板。
【請求項３】
前記フランジの面より外方に突出する円板の突出部分は、外向き凸面状のドーム部から成る、請求項１または２に記載のコンドームの保護用固定円板。
【請求項４】
前記ドーム部の高さは、前記スカート部の高さに実質的に等しいか又は僅かに大きい請求項３に記載のコンドームの保護用固定円板。
【請求項５】
前記フランジは一連の放射状突起からなる、請求項１〜４のいずれか一項に記載のコンドームの保護用固定円板。
【請求項６】
請求項１〜５に記載の保護用固定円板を備えたコンドーム。
【発明の詳細な説明】
本発明は、コンドームの安全および保護用固定円板、前記円板の周縁のフランジはコンドームの皮膜により巻回形成された巻縁部の下側に導入され、前記円板は皮膜の上端外側に配置される、に関するものである。
かかる円板を備えたコンドームは、1990年５月14日付のバブレドによるフランス特許出願第90−05994号に開示されている。これは本質的には平らな円板を論議対象としている。その目的は、ユーザが予防具を過って間違った向きに装着するのを防止することである。かかる円板の目的は、過った向きに装着したために、最初の試みで、予防具の普通は外側にくるはずの先端部を陰茎亀頭に接触させてしまった後に、正しい向きでコンドームを装着するときに、ユーザの病原菌が彼の相手に感染するのを防止することでもある。従って、このタイプの円板には二つの機能がある：それが安全および保護用円板である。
本発明の目的は、特に、ユーザの介入を全く要せずに極めて容易に円板が排出され、この排出は所定位置への装着のごく初期に自動的に発生するのでありながら、コンドーム縁部におけるディスクの保持を、装着直前の瞬間まで更に確実なものにすることによって、かかる円板を改善することである。
このため、本発明は、前記フランジ面よりも上に突出する突部を外向きに設けた円板部分を前記フランジが囲むことを特徴とするコンドームの保護用固定円板、前記円板の周縁には皮膜の巻縁部の下にかみあわせられるようにデザインされた平らなフランジが設けられ、前記円板は前記皮膜の先端外側に配置される、に関する。
この突起は、突縁と共に、皮膜の巻縁部における円板の心合わせならびに位置決めに貢献する。フランジ面に関して上方に突出するこの突部によって、ユーザは暗がりの中でも、コンドームを正しい向きに持っているかどうか、または、所定位置に装着する前に裏返さなくてはならないかどうかを、触って即座に確認することもできる。
円板の突部は、同機能を満足できるのであれば、あらゆる可能形状をとることができる。前記突部は、特に、巻縁部の側方支持部を形成するスカート部、このスカート部は例えば高さ４−5mmとする、から構成することもできる。問題の突部は、外向きのフード凸部、即ち、球または同様な形状を有する一種のドームから構成されることもあり、その基部はフランジに連続している。円板の突部は、前記裾部と前記ドームの両方から構成することもでき、そのような場合、スカート部の基部にその周縁が適宜に連続されているドームは、基本的にはスカート部と同じ高さ、あるいはこれよりわずかに高くすることができるため、このような場合、ドームはスカート部の縁部よりわずかに上に突出するようなので、装着の正しい向きをユーザが触って確認するのを助けることに貢献できる。
フランジ、即ち、前記突部の全周に広がる円板の平坦部に関して言えば、梱包内で偶然に、あるいは、陰茎に挿入するほんの直前に時期尚早に円板がコンドームから脱落するといった危険が円盤にないように、フランジは、コンドームの巻縁部の下に十分に円板を挿入できるだけの幅と形状を有する。このため、フランジの幅は約1.2−2.5mmにすることも出来るが、これらの値は一指示値として示されたものに過ぎない。
現行事例のほとんとがそうであるように、円板が平面図で円形形状である場合には、スカート部も円形形状を有するので、やはり円形形状であるフランジは一定の幅を有する。このフランジは、連続的なものであってもよいし、非連続なものであってもよい。その場合は、例えば、スカート部外周に等しく離間された、いわゆる小さな一連の放射状の突起から構成することもできる。
本発明の一実施例を、添付図面の図を参照して、非限定例によって説明する。
−図１は、本発明による固定円板を備えた、巻回してあるコンドームの軸方向断面図である。
−図２の上部は円板のみの形状を平面図で示したものであり、この図の下部はフランジの形状の変更態様である。
−図３は、円板の縮小斜視図である。
各図にて、安全および保護用固定円板のフランジは１、側方支持部であるスカート部は２、ドームは３で参照される。本例では円板の形は円形であるので、スカート部２は筒状であると理解され、凸フードまたはドーム３は球または同様の形状である。円板はコンドームＰの巻縁部Ｂに確実に保持されるが、フランジ１によって縁部の下側に、スカート部２によって縁部に対して側方から支えられる。この例では、コンドームＰが精子溜Ｒを備えていることが前提とされている。この精子溜は、ドーム３の内側に容易に収容されることが分かる。
図２の上部は、円形形状で一定幅のフランジ１を示す。この図の下部には、フランジを、スカート部２のまわりに等しく離間された一連の突起４という形態にする可能態様が示されている。
フランジ１ならびにスカート部２の外径は、勿論、スカート部外径を巻縁部内径よりもわずかに大きくするために、普通寸法のコンドームの巻縁部Ｂの内径を考慮することによって決定されるので、コンドームは、円板を所定位置にセットする作業によって半径方向にわずかに引き伸ばされるが、それは、円板の支持部分が優れていることを前提としている。従って、スカート部２の通常外径は、フランジ１の径が約31から32mmのときに約28mmとなるが、繰り返して言うが、この値は単に一指示値として示されたものに過ぎない。
スカート部２の高さは約4mm、ドーム３の高さは約5mmにしてもよい。
ドーム３は、通常は球状であり、いずれかのスカート部２に適した湾曲の半径を有する。例えば、26mmから30mmのあいだの外径を有するスカート部の場合、それ故、フランジ１の半径は約30から35mmのあいだから成るのであるが、ドーム３の湾曲半径は約20から25mmとなる。
かかる球状ドーム３の利点は、前述の通り、陰茎にコンドームを挿入する前にコンドームを向けるべき方向をユーザが一層容易に確認できるようにした点である；円板のフードの凹面が亀頭を覆うようにユーザが装着することは明らかである。この動作は、迅速にごく自然になるので、特に注意を要せずに、反射作用によるかのように行われる。円板の排出も、陰茎に沿って巻縁部Ｂを下げることによって、コンドームを通常の方法で所定の位置に装着するだけで、特に介在を要せずに自然に発生することも理解されたい。安全および保護という役割を果たした円板は、コンドームを広げ始めると自動的に排出されるのである。
本発明による円板は、大量生産で製造者が容易に位置決めできるという利益も提供する。円板は、コンドームを補強することによって、コンドームを四角い密封ポケットあるいは他の形状に構成する際に、コンドームを包装し、ならびに梱包内にそれらを保持するのを更に容易にする。
円板を構成する材料は、好ましくは食物性品質のポリエチレン、または他のすべての便宜な合成材料である。
【図１】
0003641691.tif 000002
【図２】
0003641691.tif 000003
【図３】
0003641691.tif 000004